(57)【要約】      （修正有）【課題】発光による表示を有効に行うことができる空気調和機用コントローラーを得る。【解決手段】複数の色を発光可能な光源２１と、光源２１が発した光を拡散して表示面積を拡大させ、表示エリアにおいて発光表示させる導光体２２とを備え、発光表示面積を拡大することで有効な発光表示を行うことができ、使用者が視認を行いやすくすることができる。【選択図】図２
2014107810.tif 000002
【特許請求の範囲】
【請求項１】
発光手段と、
該発光手段が発した光を拡散させて前記発行手段よりも表示面積が拡大した表示エリアにおいて発光表示させる導光体と
を備えることを特徴とする空気調和機用コントローラー。
【請求項２】
前記表示エリアをコントローラー本体の底面から外部に突出させるように前記導光体を設置することを特徴とする請求項１に記載の空気調和機用コントローラー。
【請求項３】
可視光を透過する材料で前記導光体を構成し、前記発光手段が発した光を前記導光体内部で反射させて前記表示エリアに導くことを特徴とする請求項１又は２に記載の空気調和機用コントローラー。
【請求項４】
前記発光手段は、複数色を発光可能とすることを特徴とする請求項１〜３のいずれか一項に記載の空気調和機用コントローラー。
【発明の詳細な説明】
【技術分野】
【０００１】
この発明は空気調和機用コントローラーに関するものである。特に壁取り付け型のコントローラーの表示に係るものである。
【背景技術】
【０００２】
例えば、空気調和機（空気調和装置）は、天井等、室内の高い位置に設置されていることが多い。そこで、空気調和機に対して操作、状態表示等を人が行いやすいようにするため、壁の人が操作等しやすい位置にコントローラー（壁取り付け型空気調和機のコントローラー）を設置していることが多い。
【０００３】
ここで、文字、数字等を表示装置に表示させることにより、空気調和機の運転状態等を使用者に知らせる場合もあるが、詳細でなくとも、概略で知らせればよい場合がある。このため、従来の壁取り付け型空気調和機のコントローラーにおいては、ＬＥＤ（発光ダイオード）等による発光表示を行う運転状態表示エリアを操作面に設けるようにしたものがある。そして、例えばＬＥＤの点灯／消灯／点滅によって運転状態（運転／停止／異常）を表示する等して、使用者が運転状態を確認できるようにしたものがあった（例えば、特許文献１参照）。発光により知らせることで文字等の表示よりも視認により知らせることができる範囲を拡大することができる。
【先行技術文献】
【特許文献】
【０００４】
【特許文献１】特開２００９−２２９００９号公報（図１）
【発明の概要】
【発明が解決しようとする課題】
【０００５】
しかし、上述した特許文献１のような空気調和機用コントローラーのように、運転状態表示エリアにおける表示面積が小さいと、発光量が少なくなるため、表示状態を確認できる範囲は狭かった。また、例えば室内側を向いている操作面に運転状態表示エリアを有しているため、例えば周囲（例えば、蛍光灯等）の光が操作面に直接入射すると、運転状態表示エリアが発する光が相対的に弱まってしまい、視認性が悪化してしまうことがあった。
【０００６】
この発明は、上記のような課題を解決するためになされたもので、発光による表示を有効に行うことができる空気調和機用コントローラーを得ることを目的とする。
【課題を解決するための手段】
【０００７】
この発明に係る空気調和機用コントローラーは、発光手段と、発光手段が発した光を拡散させて発行手段よりも表示面積が拡大した表示エリアにおいて発光表示させる導光体とを備えるものである。
【発明の効果】
【０００８】
この発明の壁取り付け型空気調和機用コントローラーは、発光手段が発する光を導光体が拡散して表示エリアに発光表示させるようにしたので、例えば発光手段の数が少なくても発光表示面積を拡大することができ、使用者が視認を行いやすい空気調和機用コントローラーを得ることができる。
【図面の簡単な説明】
【０００９】
【図１】この発明の実施の形態に係る空気調和機用コントローラー１の外観を示す図である。
【図２】この発明の実施の形態に係る発光表示部２０の構成を示す図である。
【図３】この発明の実施の形態に係る導光体２２の構成を示す図である。
【発明を実施するための形態】
【００１０】
実施の形態．
図１はこの発明の実施の形態に係る空気調和機用コントローラー１の外観を示す図である。本実施の形態における空気調和機用コントローラー１は、壁取り付け型のコントローラーである。ここで、本実施の形態では、図１に示す操作面に対して上下左右を定める。
【００１１】
本実施の形態の空気調和機用コントローラー１はコントローラー本体１０と発光表示部２０とを有している。コントローラー本体１０は、さらにメイン表示部１１を有している。メイン表示部１１は、例えば空気調和機等の機能や動作状態等を文字、数字、記号、絵柄（アイコン、ピクトグラム、絵文字）等で表示する。また、タッチパネル１２と連携して、使用者が指示を入力するための仮想ボタン等を表示することができる。タッチパネル１２は、メイン表示部１１の表示画面に対応して、使用者が入力した指示を制御装置（図示せず）に送信する指示入力手段となる。
【００１２】
発光表示手段となる発光表示部２０は、例えば空気調和機の運転モード（暖房、冷房、ドライ等）、運転状態（運転中、異常、停止）、温度センサ等（図示せず）の検出に係る室温等を、設定した表示色等により表示する。表示形式としては、例えば点灯だけでなく点滅等をさせることもできる。本実施の形態の空気調和機用コントローラー１において、発光表示部２０はコントローラー本体１０に収容され、一部が表示エリア２２ａとしてコントローラー本体１０の底面から外部に露出し、意匠（空気調和機用コントローラー１外観上のデザイン）を構成している。このため、コントローラー本体１０の操作面と相対したときに、コントローラー本体１０の下側の位置に見える。発光表示部２０をコントローラー本体１０の上面、操作面に設けると、周囲の光により、使用者が視認しにくくなる。発光表示部２０に周囲の光が入射しないようにするため、コントローラー本体１０の影になる底面から露出させるようにする。ここで、特に限定するものではないが、空気調和機用コントローラー１のデザインを構成すること、コントローラー本体１０の影を利用していること等から、表示エリア２２ａの左右（横幅）方向の長さは、コントローラー本体１０の幅を超えないようにするとよい。
【００１３】
図２はこの発明の実施の形態に係る発光表示部２０の構成を示す図である。図２では、コントローラー本体１０に収容された部分についても位置関係を説明するために示している。本実施の形態における発光表示部２０についてさらに説明する。発光表示部２０は、光源２１、導光体２２を有している。
【００１４】
光源２１は、コントローラー本体１０に収容された制御用の基板（図示せず）に実装される。本実施の形態では、三色ＬＥＤを使用し、複数色（例えばフルカラー）の表示を可能とする。表示色数が多い程、情報量を多くすることができるが、例えば三色ＬＥＤでなくてもよい。
【００１５】
図３はこの発明の実施の形態に係る導光体２２の構成を示す図である。図３（ａ）は操作面に対して見た図（正面図）である。また、図３（ｂ）は背面図である。図３（ｃ）は上面図である。図３（ｄ）は側面図（右側面図）である。導光体２２は例えば、透明性が高く、可視光を透過するアクリル（アクリル樹脂）を材料として構成している。光源２１が発した光を拡散させながら、外部に露出している表示エリア２２ａに導いて光らせる。表示エリア２２ａの面積を広くすることで、光源２１となるＬＥＤの数を少なくしつつ発光面積を大きくすることができる。導光体Ｖ字カット部２２ｂは、下方向を向いた光源２１から発せられた光が当たると、導光体２２左右方向に導く。また、導光体傾斜部２２ｃは導光体Ｖ字カット部２２ｂにより導かれた光を、下方向に位置する表示エリア２２ａに導く。導光体下部傾斜部２２ｄは、光源２１から発せられた光が当たると、操作面側に光を導く。これにより、不要な部分に光が漏れず、操作面（前面）側に向かう光を多くすることができる。ここで、特に限定するものではないが、導光体傾斜部２２ｃ、導光体下部傾斜部２２ｄにテープ等により反射材を取り付け、反射率を高めるようにしてもよい。
【００１６】
以上のように、本実施の形態の空気調和機用コントローラー１によれば、光源２１が発した光を、導光体２２が拡散させながら表示エリア２２ａに発光表示させるようにしたので、発光表示面積を広くすることができ、例えば使用者が表示を視認できる範囲を拡大し、有効な発光表示を行うことができる。
【００１７】
また、発光表示部２０の表示エリア２２ａをコントローラー本体１０の底面から突出させるように設けるようにしたので、コントローラー本体１０の影によって周囲の光が表示エリア２２ａに直接入射することがなく、視認性の悪化を防ぐことができる。
【符号の説明】
【００１８】
１  空気調和機用コントローラー、１０  コントローラー本体、１１  メイン表示部、１２  タッチパネル、２０  発光表示部、２１  光源、２２  導光体、２２ａ  表示エリア、２２ｂ  導光体Ｖ字カット部、２２ｃ  導光体傾斜部、２２ｄ  導光体下部傾斜部。
【図１】
2014107810.tif 000003
【図２】
2014107810.tif 000004
【図３】
2014107810.tif 000005